(57)【要約】  車両用の操作装置であって、接触感知面を持つ上面（５８）を有する静電容量式タッチパネル（１６）と、操作ユニット（１８、１８’）とを備えており、操作ユニット（１８、１８’）が、把持可能に構成され、導電性表面を有する操作要素（２２、２２’）と、上面及びこの上面と反対側の下面を有し、上に操作要素（２２、２２’）が移動可能に配置されると共に、一部がタッチパネル（１６）上面の接触感知面に配置される板状の保持要素（２４）とを有する。操作要素（２２、２２’）は、その導電性表面に電気的に接続され、操作要素（２２、２２’）が動かされるときに保持要素（２４）の上面の検知経路（５４）に沿ってスライドする少なくとも１つのワイパ（３２）を含む。保持要素（２４）は、検知経路（５４）に沿って交互に連続して配置された複数の第１部分（５０）及び複数の第２部分（５２）を含む。保持要素（２４）の上面及び下面は、第１部分（５０）のそれぞれで互いに電気的に接続され、第２部分（５２）のそれぞれで互いに電気的に絶縁されている。【選択図】図３
2020514875.tif 000002
【特許請求の範囲】
【請求項１】
接触感知面を持つ上面（５８）を有する静電容量式タッチパネル（１６）と、
操作ユニット（１８、１８’）と
を備えており、
上記操作ユニット（１８、１８’）が、
把持可能に構成され、導電性表面を有し、直進運動又は回転運動が可能な操作要素（２２、２２’）と、
上面及びこの上面と反対側の下面を有し、上に上記操作要素（２２、２２’）が移動可能に配置されると共に、一部が上記タッチパネル（１６）上面の上記接触感知面に配置される板状の保持要素（２４）と
を有し、
上記操作要素（２２、２２’）が、その導電性表面に電気的に接続された少なくとも１つの動作検出エンコーダ要素（３４）を含み、
この少なくとも１つの動作検出エンコーダ要素（３４）が、好ましくは上記操作要素（２２、２２’）が動かされるときに上記保持要素（２４）上面の検知経路（５４）に沿ってスライドするワイパ（３２）であって、
上記保持要素（２４）が、上記検知経路（５４）に沿って交互に連続して配置された複数の第１部分（５０）及び複数の第２部分（５２）を含み、
上記保持要素（２４）の上記上面及び下面が、上記第１部分（５０）のそれぞれで互いに電気的に接続され、上記第２部分（５２）のそれぞれで互いに電気的に絶縁されている
車両用の操作装置。
【請求項２】
上記操作要素（２２、２２’）が、上記検知経路（５４）に沿って互いにオフセットして配置された２つの動作検出エンコーダ要素（３４）を含み、
上記２つの動作検出エンコーダ要素（３４）の間のオフセットが、偶数個の第１部分（５０）及び奇数個の第２部分（５２）、又は奇数個の第１部分（５０）及び偶数個の第２部分（５２）のいずれかで、連続する上記第１及び第２部分（５０、５２）の伸長に対応する長さに沿って延び、
上記操作要素（２２、２２’）の各移動位置において、上記２つの動作検出エンコーダ要素のうちの１つが上記検知経路（５４）の第１部分に接触する
ことを特徴とする請求項１に記載の操作装置。
【請求項３】
上記操作ユニット（１８、１８’）の上記操作要素（２２、２２’）は、
上記保持要素（２４）の方向に可逆的に押し下げることができ、
上記操作要素（２２、２２’）の上記導電性表面に電気的に接続され、上記操作要素（２２、２２’）が押し下げられた状態にある場合、上記保持要素（２４）の上面をその下面と電気的に接続する局所領域に接触する少なくとも１つの押下検出エンコーダ要素（５７）を含む
ことを特徴とする請求項１又は２に記載の操作装置。
【請求項４】
上記少なくとも１つの押下検出エンコーダ要素（５７）によって上記操作要素（２２、２２’）を押し下げた状態で接触させた上記保持要素（２４）のそれぞれの電気領域が、上記保持要素（２４）の上記第１部分（５０）の１つである
ことを特徴とする請求項３に記載の操作装置。
【請求項５】
上記操作要素（２２、２２’）が、上記記検知経路（５４）に沿って互いにオフセットして配置された２つの押下検出エンコーダ要素（５７）を含み、
上記操作要素（２２、２２’）の各移動位置において、
上記２つの押下検出エンコーダ要素（５７）のうちの少なくとも１つが上記検知経路（５４）の第１部分に接触する
ことを特徴とする請求項４に記載の操作装置。
【請求項６】
上記２つの押下検出エンコーダ要素（５７）の間のオフセットが、偶数個の第１部分（５０）及び奇数個の第２部分（５２）、又は奇数個の第１部分（５０）及びと偶数個の第２部分（５２）のいずれかで、上記連続する第１及び第２部分（５０、５２）の伸長に対応する長さに沿って延びることを特徴とする請求項５に記載の操作装置。
【請求項７】
上記少なくとも１つの動作検出エンコーダ要素（３４）が、線形又は円形の導電性弾性材料片（２８）に不可欠な構成要素であって、そこから突出又は出っ張っている変形又は要素であることを特徴とする請求項１から６のいずれか１項に記載の操作装置。
【請求項８】
上記少なくとも１つの押下検出エンコーダ要素（５７）が、線形又は円形の導電性弾性材料片（２８）に不可欠な構成要素であって、そこから突出又は出っ張っている変形又は要素であることを特徴とする請求項７又は請求項３から６のいずれか１項に記載の操作装置。
【請求項９】
上記操作要素（２２、２２’）が、
少なくとも１つの弾性的又は可逆的に移動可能な戻り止め要素（４０）と、
交互に連続して配置された戻り止め凸部（４６）及び戻り止め凹部（４８）を持つ戻り止め経路（４２）と
を有する戻り止め手段であり（４２）、
上記少なくとも１の戻り止め要素（４０）が、上記操作要素（２２、２２’）及び上記保持要素（２４）上の上記戻り止め経路（４２）上に配置されているか、又はその逆であることを特徴とする請求項１から８のいずれか１項に記載の操作装置。
【請求項１０】
上記保持要素（２４）の上記検知経路（５４）が、上記戻り止め手段の戻り止め経路（４２）として適合され、上記戻り止め凸部（４６）と上記戻り止め凹部（４８）とを含み、
上記少なくとも１つの戻り止め要素（４０）が、動作検出エンコーダ要素（３４）として機能することを特徴とする請求項９に記載の操作装置。
【請求項１１】
上記検知経路（５４）に沿って配置された上記保持要素の各第１及び第２部分（５０，５２）が、戻り止め凹部の中心から、隣接する戻り止め凹部（４８）の中心まで、又は戻り止め凸部（４６）の中心から、隣接する戻り止め凸部（４６）の中心まで延びることを特徴とする請求項１０に記載の操作装置。
【請求項１２】
上記少なくとも１つの戻り止め要素（４０）及び上記押下検出エンコーダ要素（５７）が、同一の上記弾性材料片（２８）内及び／又は上に適合されることを特徴とする請求項１１に記載の操作装置。
【請求項１３】
上記操作要素（２２、２２’）が、スライダ又はターンテーブルとして適合されることを特徴とする請求項１から１２のいずれか１項に記載の操作装置。
【請求項１４】
上記スライダ又はターンテーブルを押し下げることができることを特徴とする請求項１３に記載の操作装置。
【請求項１５】
上記タッチパネル（１６）が、タッチスクリーン（１４）の一部として適合され、その表示側に上記操作ユニット（１８、１８’）が配置されることを特徴とする請求項１から１４のいずれか１項に記載の操作装置。
【請求項１６】
上記操作要素（２２、２２’）のタッチパネル（１６）又はタッチスクリーン（１４）の力感知機能と任意に連携する力フィードバック機能を特徴とする請求項１から１５のいずれか１項に記載の操作装置。
【請求項１７】
上記保持要素（２４）が、上記タッチパネル（１６）の上面の上記接触感知面上に部分的に配置され、
上記操作ユニット（２２、２２’）の各移動位置で、少なくとも１つの上記動作検出エンコーダ要素（３４）及び、利用可能な場合、少なくとも１つの上記押下検出エンコーダ要素（５７）が、上記保持要素（２４）の上面の領域に配置され、
その下に上記タッチパネル（１６）の上面の上記接触感知面が位置する
ことを特徴とする請求項１から１６に記載の操作装置。
【請求項１８】
上記操作要素（２２、２２’）の各移動位置で、２つの上記動作検出エンコーダ要素（３４）及び、利用可能な場合、少なくとも１つの上記押下検出エンコーダと要素（５７）が、上記保持要素（２４）の上面の領域に配置され、
その下に上記タッチパネル（１６）の上面の上記接触感知面が位置する
ことを特徴とする請求項１７に記載の操作装置。
【発明の詳細な説明】
【技術分野】
【０００１】
本発明は、接触感知面を持つ上面を有するタッチパネルを備え、その上に、把持可能に構成され、直進運動又は回転運動が可能な操作要素を有する操作ユニットが配置される自動車用の操作装置に関する。
【背景技術】
【０００２】
タッチパネル、特にタッチスクリーンは、近年、車両用の操作装置としてますます確立されている。ただし、把持可能で、（ターンテーブルとして）回転運動が可能又は（スライダとして）直進運動が可能であり、オプションでプッシュ機能を備えた操作要素を使用して、操作コマンドを入力する方が快適な場合がある。
【０００３】
手動で操作可能な操作要素をタッチパネル又はタッチスクリーンと組み合わせる方法については、すでにさまざまな方法が開示されている。その例が、ＤＥ−Ｃ−１９７  ４３  ２８３、ＤＥ−Ａ−１０  ２００６  ０４３  ２０８、ＤＥ−Ａ−１０  ２０１０  ０１０  ５７４、ＤＥ−Ａ−１０  ２０１１  ００７  １１２及びＥＰ−Ａ−２  ３０２  ７９９に記載されている。既知の操作装置では、操作要素の現在の移動位置を決定するための接触感知システムを使用するために、操作要素に結合されたエンコーダ要素がタッチパネルの接触感知面上を移動する。ユーザーがタッチパネルのさまざまな位置に操作要素を配置できることが望ましい場合がある。タッチパネルの表面上を移動するエンコーダ要素は、タッチパネルの接触感知面に傷や磨耗を引き起こす可能性があり（傷、研磨痕など）、これらは避けられるべきである。
【０００４】
調整ボタンを調整するときにバイナリコード化信号を生成するデコーダは、例えば、ＤＥ−Ｕ−２０  ２０１２  ００７  ０９３から知られている。回転選択及び操作装置はＤＥ−Ａ−１０  ２０１４  １１３  ８７７から知られている。
【発明の概要】
【０００５】
本発明の目的は、タッチパネルと、タッチパネルの表面に影響を与えることなく手動で操作可能な操作要素とを備えた操作装置を提供することである。
【０００６】
本発明によれば、この目的は、
接触感知面を持つ上面を有する静電容量式タッチパネルと、
操作ユニットと
を備えており、
上記操作ユニットが、
把持可能に構成され、導電性表面を有し、直進運動又は回転運動が可能な操作要素と、
上面及びこの上面と反対側の下面を有し、上に上記操作要素が移動可能に配置されると共に、一部が上記タッチパネル上面の上記接触感知面に配置される板状の保持要素と
を有し、
上記操作要素が、その導電性表面に電気的に接続された少なくとも１つの動作検出エンコーダ要素を含み、この少なくとも１つの動作検出エンコーダ要素が、好ましくは、上記操操作要素が動かされるときに上記操保持要素上面の検知経路に沿ってスライドするワイパであって、
上記操保持要素が、上記検知経路に沿って交互に連続して配置された複数の第１部分及び複数の第２部分を含み、
上記保持要素の上記上面及び下面が、上記第１部分のそれぞれで互いに電気的に接続され、上記第２部分のそれぞれで互いに電気的に絶縁されている車両用の操作装置によって達成される。
【０００７】
本発明によれば、板状の保持要素がタッチパネルの接触感知面上に配置され、例えばワイパの形態をした少なくとも１つの動作検出エンコーダ要素が、保持要素の上側に設けられ、かつ、操作要素の移動に伴って移動することが提供される。ワイパ（以下では、少なくとも１つの動作検出エンコーダ要素の可能な実施形態の一般性を制限することなく、主にその実施形態でワイパと呼ぶ。）は、保持要素の上面の検知経路に沿ってスライドする。操作要素がターンテーブルとして適合している場合、検知経路は環状経路である。本発明によれば、その検知経路に沿った上記保持要素の材料の性質は、上記検知経路が第１及び第２部分を交互に含むような性質である。第１部分では、上記保持要素の上面は上記保持要素の下面に電気的に接続され、上記保持要素は第２部分の領域で電気的に絶縁されている。例えば、上記板状の保持要素はプラスチックで作られており、上記検知経路の第１部分は導電性材料ブロックによって実現されている。例えば、カーボンブラック等の導電性材料が、第１部分の領域で上記保持要素のプラスチック材料に加えられてもよい。好ましくは、保持要素は、２つの構成要素の保持要素である。
【０００８】
第１部分は、上記検知経路に沿った個々の表面領域を形成し、これらは第２部分から互いに分離され、例えば、上記保持要素の下面に対応する大きさの、すなわち等しい大きさの表面領域と位置合わされる。少なくとも１つの上記ワイパは、上記操作要素の導電性表面に電気的に接続されている。従って、上記少なくとも１つのワイパは、上記操作要素が触れられたとき（又は言い換えると、上記ワイパがアースとして機能するとき）、その操作者の電位又は電荷を有する。上記操作要素が動いて、上記少なくとも１つのワイパが上記検知経路の第１部分にある移動位置に上記操作要素がとどまるまで、上記ワイパが上記検出経路に沿ってスライドする場合、第１部分を介して上記保持要素の上面から上記保持要素の下面に、そこから前記タッチパネルの表面に電荷を伝送することによって、上記操作要素の移動位置が検出される。タッチパネルのセンサーシステムは検出に使用される。好ましくは、上記操作要素は、上記操作要素の各移動位置で、確実に１つのワイパが上記検知経路の導電性の第１部分に載るように、互いにオフセットして対応して配置された少なくとも２つのワイパを含む。例えば、上記タッチパネルの感知システムがワイパ位置の変化を検知しない場合、対応するソフトウェア制御を用いて、移動位置を読み出すために、この移動位置に上記操作要素が移動されたことを判断することができる。
【０００９】
本発明によれば、複数の第１部分及び複数の第２部分は、上記検知経路に沿って連続して交互に配置され、上記検知経路を形成する。
【００１０】
本発明による当該操作装置の利点は、とりわけ、１以上のワイパが上記タッチパネルの接触感知面上でもはやスライドせず、よってこの表面に機械的に影響をもはや与えないことである。これは、上記操作要素が上記タッチパネルの接触感知面の異なる位置に配置され得る全ての応用に特に有利である。そのような応用では、上記操作要素は、例えば接触感知面上で上記保持要素と共に動くことができる。上記保持要素は、例えば上記タッチパネルの表面に磁気的に配置及び固定することができる。上記保持要素を上記タッチパネル上に配置するためのマウントとして、可逆的に脱着可能な接着ボンドを使用することも可能である。最後に、吸引カップ等の空気圧システムも適切と考えられる。
【００１１】
既に上述したように、上記操作要素はターンテーブル又はスライダとして適合させることができる。よって、上記操作要素は、回転運動可能又は直進運動可能な上記保持要素に取り付けられている。第１の事例として、上記保持要素は、その軸がターンテーブルの回転軸を形成するところの上方に突出するカラーを備えてもよい。上記操作要素及び保持要素が直進運動可能な配置の場合、上記保持要素は、上記操作要素、すなわちスライダがスライド可能に案内されるところの上方に突出するバーを備えてもよい。その他の案内システム、特に直線経路上で上記スライダを必ずしもスライド可能に案内する必要はなく、例えば曲線経路上で案内するシステムも実現できる。本発明によれば、用語「直進運動」は、必ずしも直線運動に関係するのではなく、曲線に沿った運動、又は曲線と直線部分からなる運動にも関係する。
【００１２】
本発明の有利な実施形態では、上述したように、上記操作要素は、上記検知経路に沿って互いにオフセットして配置された２つのワイパを備え、この２つのワイパ間のオフセットは、偶数個の第１部分及び奇数個の第２部分、又は奇数個第１部分及び偶数個の第２部分のいずれかをもって、連続する上記第１及び第２部分の伸長に対応する長さに沿って延び、上記操作要素の各移動位置において、上記２つのワイパのうちの１つが上記検知経路の第１部分に接触する。２つの動作検出エンコーダ要素を配置することにより、上記操作要素の移動の検知だけではなく、その移動方向も検知することができる。
【００１３】
本発明により提供される少なくとも１つの動作検出エンコーダ要素に加えて、操作要素は、本発明のさらなる有利な実施形態として、上記操作要素が押し下げられた状態にある場合、上記保持要素の上面とその下面とを電気的に接続する（複数の）局所領域の１つにのみ接触する押下検出エンコーダ要素を含んでもよい。このようにして、上記操作要素は、上記保持要素の方向に可逆的に押し下げることができ、好ましくは上記操作要素に圧力が作用しない場合は、好ましくは自動的に反対方向に戻る。上記局所領域は、例えば、上記保持要素の第１部分に加えて、その上及び／又はその中に形成及び／又は配置される。
【００１４】
本発明の前述の実施形態において、上記少なくとも１つの押下検出エンコーダ要素によって上記操作要素を押し下げた状態で接触させた上記保持要素のそれぞれの電気領域が、上記保持要素の第１部分の１つである場合、特に好都合である。
【００１５】
上記ワイパに関してすでに説明したように、上記操作要素が、上記検出経路に沿って互いにオフセットされて配置された２つの上記押下検出エンコーダ要素を含み、上記操作要素の各移動位置において、上記押下検出エンコーダ要素のうち少なくとも１つが上記検知経路の第１部分に接触する場合、好都合になり得る。このような上記押下検出エンコーダ要素の二重配置は、上記２つの押下検出エンコーダ要素間のオフセットが、偶数個の第１部分及び奇数個の第２部分、又は奇数個の第１部分及び偶数個の第２部分のいずれかをもって、連続する上記第１及び第２部分の伸長に対応する長さに沿って延びる場合に、有利になり得る。
【００１６】
本発明のさらなる適切な実施形態では、上記少なくとも１つのワイパが、線形又は円形の導電性の弾性材料片に不可欠な構成要素であって、そこから突出又は出っ張っている変形又は要素であることが有利であり得る。この弾性材料片上で、又は追加で設けられた弾性材料片上で、上記少なくとも１つの押下検出エンコーダ要素は、変形又は要素として適合させることができる。
【００１７】
手動で移動可能な操作要素の操作快適性を高めるために、上記操作要素は、少なくとも１つの弾性的又は可逆的に移動可能な戻り止め要素と、交互に連続して配置された戻り止め凸部及び戻り止め凹部を持つ戻り止め経路とを有する戻り止め手段を備え、上記少なくとも１の戻り止め要素が上記操作要素及び上記保持要素上の上記戻り止め経路上に配置されているか、又はその逆である場合に、好都合である。
【００１８】
戻り止め経路は、例えば、上記検知経路から空間的に分離された戻り止め凸部及び戻り止め凹部の配置として適合されてもよい。上記可逆的に移動可能な戻り止め要素は、第２の実施形態において上記戻り止め経路上をスライドするように配置されてもよく、例えば、弾性材料片上に設けられるか、又は戻り止めボール等として適合される。上記戻り止め要素が戻り止め凹部にある場合、上記操作要素は常に安定した停止位置にある。これらの停止位置では、上記ワイパは常に、上記保持要素の前記検知経路の導電性の第１部分に接触している。２つのワイパが設けられている場合、確実に１つのワイパが、戻り止め凹部によって決定された上記操作要素の各停止位置において上記保持要素の第１部分に接触する。
【００１９】
コンパクトな配置及び組み立てコストの削減に関して、上記保持要素の上記検知経路が上記戻り止め手段の戻り止め経路として適合され、戻り止め凸部及び戻り止め凹部を含む場合は、好都合である。したがって、本発明のこの実施形態では、上記検知経路が上記戻り止め経路の機能を引き継ぐ。上記ワイパ又は上記２つのワイパは、戻り止め要素として機能する。よって、各戻り止め凹部内で、少なくとも１つのワイパは、上記検知経路の１つの導電性の第１部分と接触する。上記操作要素がプッシュ機能を含む場合、上記押下検出エンコーダ要素は、便宜上戻り止め経路として適合された上記検知経路の第１部分である上記保持要素の導電性領域に接触する。上記操作要素が押されていない場合、上記少なくとも１つの回転検出エンコーダ要素は、上記戻り止め及び検知経路よりも上側に配置される。
【００２０】
本発明のさらなる有利な実施形態では、上記検知経路に沿って配置された上記保持要素の第１及び第２部分が、上記戻り止め凹部の中心から、隣接する戻り止め凹部の中心まで、又は上記戻り止め凸部の中心から、隣接する戻り止め凸部の中心まで延びることが提供され得る。
【００２１】
設計要求に応じて、上記操作ユニットを、上記タッチパネル又は上記タッチスクリーンの上面の接触感知面に部分的にのみ配置することが必要とされてもよい。この場合、重複領域が形成され、その中で、上記保持要素が上記タッチパネル又は上記タッチスクリーン上に配置される。上記操作要素の（回転又は直進）運動及び／又は上記操作要素の押し下げる動作の前述の検知を確実にするために、上記操作要素の各移動位置において、少なくとも１つの動作検出エンコーダ要素が配置されることが要求され、そして、それが配置される場合、少なくとも１つの上記押下検出エンコーダ要素は、上記保持要素の上面の領域に配置され、その下に上記タッチパネルの上面の上記接触感知面が位置する。純粋な移動に加えて、移動方向も検知される場合、２つの動作検出エンコーダ要素が上記操作要素の各移動位置に配置されるのであれば、そして、それが配置される場合に、少なくとも１つの上記押下検出エンコーダ要素が、上記保持要素（２４）の上面の領域に配置され、その下に上記タッチパネルの上面の接触感知面が位置するのであれば、より好都合である。
【００２２】
以下において、本発明の様々な実施形態は、図面によって詳細に説明される。個々の図は次のことを示している。
【図面の簡単な説明】
【００２３】
【図１】タッチスクリーンをと、その上に配置されたターンテーブル操作ユニットを有する車両のセンターコンソールの図。
【図２】ターンテーブル操作ユニットの側面図。
【図３】回転操作要素が取り外された、第１の例示的な実施形態によるターンテーブル操作ユニットの斜視図。
【図４】図３によるタッチスクリーン上に配置されたターンテーブル操作ユニットの保持要素の平面図。
【図５】展開図として、図４の両矢印で示された、円周領域の側面図。
【図６】図４のＶＩ−ＶＩ及びＶＩＩ−ＶＩＩ線に沿った、回転操作要素を含む保持要素の断面図。
【図７】図４のＶＩ−ＶＩ及びＶＩＩ−ＶＩＩ線に沿った、回転操作要素を含む保持要素の断面図。
【図８】第２の例示的な実施形態による、その上に配置されたスライド操作ユニットを有するタッチスクリーンの平面図。
【図９】図８のＩＸ−ＩＸ、Ｘ−Ｘ及びＸＩ−ＸＩ線に沿った断面図。
【図１０】図８のＩＸ−ＩＸ、Ｘ−Ｘ及びＸＩ−ＸＩ線に沿った断面図。
【図１１】図８のＩＸ−ＩＸ、Ｘ−Ｘ及びＸＩ−ＸＩ線に沿った断面図。
【図１２】ターンテーブル操作ユニットの第３の例示的な実施形態の斜視図。
【図１３】図１２による操作ユニットの保持要素の平面図。
【図１４】展開図として、図４の両矢印で示された、円周領域の側面図。
【図１５】操作要素の第４の例示的な実施形態の斜視図。
【図１６】図１５による操作ユニットの保持要素の平面図。
【図１７】展開図として、図１６の両矢印で示されている円周領域の側面図。
【発明を実施するための形態】
【００２４】
図１は、車両のセンターコンソール１０の周りの領域の斜視図を示している。センターコンソール１０には、タッチパネル１６を有するタッチスクリーン１４と、タッチスクリーン１４上に配置された操作ユニット１８とを含む操作ユニット１２が設けられている。符号２０は、タッチスクリーン１４に表示される各種タッチフィールドを示す。
【００２５】
この例示的な実施形態では、操作ユニット１８は、ターンテーブル２２として適合される。
【００２６】
回転操作ユニット１８の第１の例示的な実施形態を、図２から図７を参照して以下に説明する。
【００２７】
図２及び図３に示されるように、操作ユニット１８は、誘電材料、例えばプラスチックで作られた板状の保持要素２４を備え、この例示的な実施形態では、上方に突出するカラー２６を有する円板の形態に適合されている。回転及び押下軸受け２８は、カラー２６とターンテーブル２２との間に配置されている（図６及び図７を参照）。ターンテーブル２２の下面には、２つの円形弾性材料片２８、３０が配置され、そのうちの外側の弾性材料片２８は、回転又は動作検出エンコーダ要素３４として２つのワイパ３２を含み、これらはターンテーブル２２が手動で回転されると保持要素２４の外縁領域３６に沿ってスライドする。ターンテーブル２２にはターンテーブル２２の下面まで部分的に延びる導電性材料層３８が設けられている（図６及び図７を参照）。外側弾性材料片２８は、この導電性材料層３８と電気的に接続されている。
【００２８】
内側の弾性材料片３０は、保持要素２４の上面４４上の戻り止め経路４２に沿ってスライドする２つの戻り止め突出部４０を含む。戻り止め経路４２には、戻り止め凸部４６及び戻り止め凹部４８が設けられる。内側の弾性材料片３０に戻り止め突出部４０を設けることによって、内側の弾性材料片３０は、回転中のターンテーブル２２の機械的なハプティクスのための戻り止めバネのように作用する。このようにして、ターンテーブル２２は、定められた停止位置をとる。
【００２９】
ここで、タッチパネル１６によって様々な停止位置でターンテーブル２２の回転位置を決定するために、保持要素２４は、その外縁領域３６に、導電性の第１部分５０と電気的に絶縁性の第２部分５２とを交互に含む。これらの第１及び第２部分５０、５２の連続は検知経路５４を形成し、これに沿って２つのワイパ３２がスライドする。周方向における２つのワイパ３２のオフセットは、戻り止め凹部４８によって画定されるターンテーブル２２の各停止位置において、２つのワイパ３２のうちの１つが導電性の第１部分５０上に載るようなオフセットである（例えば図５参照）。
【００３０】
図６及び図７から分かるように、ターンテーブル２２は押し下げることができる。押し下げられた状態では、検知経路５４は、好ましくは、押下検出エンコーダ要素５７として機能する外側の弾性材料片２８の２つの舌部５６によって２点で接触する。図５から分かるように、これらの舌部５６は、ターンテーブル２２が押し下げられていない場合には検知経路５４の上に位置し、ターンテーブル２２が押し下げられている場合にのみ検知経路５４に接触する。そして、２つの舌部５６のうちの１つは、導電性の第１部分上に載る（ターンテーブル２２が戻り止め凹部４８によって画定される停止位置をとる限り）。
【００３１】
ターンテーブル２２を把持すると、ワイパ３２及び舌部５６は、手の電位又は電荷を帯びる。２つのワイパ３２の確実に１つは常に導電性部分５０の１つに接触し、それにより、この部分を介して、外側の弾性材料片２８の電荷又は電位がタッチパネル１６の上面５８に伝達される。次に、タッチパネル１６の静電容量感知システム（図示せず）は、ワイパ３２が位置する場所を決定し、それによりターンテーブル２２の回転位置が検出され得る。同様に、ターンテーブル２２の押下機能が検出され得る。この場合、２つの舌部５６のうちの１つは、導電性の第１部分５０の１つに載っている。
【００３２】
図８から図１１は、操作ユニットがスライド操作ユニット１８’として適合されている本発明の例示的な実施形態を示している。このスライド操作ユニット１８’の要素が、図１から図７における回転操作ユニット１８の要素に対応する場合、図８から図１１においては図１から図７と同一の符号を用いている。
【００３３】
スライド操作ユニット１８’では、操作要素はスライドボタン２２’として適合されている。図２及び図３による保持要素２４のカラー２６は、この場合では矩形の板状の保持要素２４から上方に突出するバー２６’に置き換えられている。スライド操作ユニット１８’での戻り止め手段の構成はもちろんのこと検知経路の第１及び第２部分の構成は、図２から図７を参照して上述したように選択される。
【００３４】
図２から図７での例示的な実施形態におけるワイパ３２及び舌部５６の構成及び配置とは異なり、これらの構成要素は、図８から図１１での例示的な実施形態において、２つの弾性材料片２８、２８’に分類される。弾性材料片２８’は、押下検出エンコーダ要素５７としての舌部５６を備え、一方、弾性材料片２８は、回転検出エンコーダ要素３４としてのワイパ３２を備える。
【００３５】
図１２から図１７には、タッチパネル上のターンテーブル操作ユニットの２つのさらなる例示的な実施形態が示されており、その特別な特徴は、図１から図１２の例示的な実施形態と比較して、とりわけ、検知経路５４が戻り止め経路４２の機能も引き受け、これが、必要な組み立てスペースを縮小することに関して有利となり得るということである。図１２から図１７に関して、図１から図７による例示的な実施形態の構成要素に対応するこれらの２つの例示的な実施形態の操作ユニットの構成要素には、同一の符号が付されていることも当てはまる。
【００３６】
前述の特別な特徴は、例えば、図１２に示されている。保持要素２４は、その外縁領域３６に、導電性の第１部分５０と電気絶縁性の第２部分５２から順次構成される検知経路５４を備え、両方の部分タイプが交互に連続する。前述の２つの部分は、それらの上面に、戻り止め凸部４６及び戻り止め凹部４８を有する波状の戻り止め経路４２を形成する。ターンテーブル２２の下面には、単一の弾性材料片が、戻り止め突出部４０が形成されたところに配置され、回転又は動作検出エンコーダ要素３４としてのワイパ３２の機能も担う。さらに、弾性材料片２８は、押下検出エンコーダ要素５７としての舌部５６を含む。
【００３７】
戻り止め経路４２によって画定されるターンテーブル２２の各停止位置で、戻り止め突出部４０は、検知経路５４の導電性の第１部分に接触する。対称性の理由により、２つの戻り止め突出部４０を設けることが有利であり得る。ターンテーブル２２の回転位置は、ソフトウェアによって決定することができる。この目的のために、２つの戻り止め突出部４０が正確に直径方向に互いに向き合っていない場合が有利である（図１３を参照）。
【００３８】
ターンテーブル２２が押されると、２つの押下検出エンコーダ要素５７も戻り止め経路４２又は検知経路５４に接触し、２つの押下検出エンコーダ要素のうちの確実に１つが導電性の第１部分５０に接触する。
【００３９】
図１５から図１７は、回転操作ユニット１８のさらなる例示的な実施形態を示している。図１２から図１４で示されているこのユニットの構成とはで異なり、導電性の第１部分５０及び電気絶縁性の第２部分５２への検知経路５４及び戻り止め経路４２の分割は、異なるように選択される。この例示的な実施形態では、戻り止め経路４２の戻り止め凹部４８によって画定されるターンテーブル２２の各停止位置において、常に２つの戻り止め突出部４０の一方のみが第１部分５０に接触し、それによりターンテーブル２２の回転位置が明確に検出可能である。押下検出エンコーダ要素５７が、戻り止め凹部又は戻り止め凹部４８の１つに沈み、２つの押下検出エンコーダ要素５７の１つが、検知経路５４のそれぞれ１つの戻り止め凹部４８（第１部分５０）に沈むので、押下機能が検出可能である。
【符号の説明】
【００４０】
１０  センターコンソール
１２  操作ユニット
１４  タッチスクリーン
１６  タッチパネル
１８  回転操作ユニット
１８’  スライド操作ユニット
２０  タッチフィールド
２２  ターンテーブル
２２’  スライドボタン
２４  保持要素
２６  保持要素のカラー
２６’  保持要素のバー
２７  回転及び押下軸受け
２８，２８’，３０  弾性材料片
３２  ワイパ
３４  回転又は動作検出エンコーダ要素
３６  保持要素の外縁領域
３８  材料層
４０  戻り止め突出部
４２  戻り止め経路
４４  保持要素の上面
４６  戻り止め凸部
４８  戻り止め凹部
５０  検知経路の第１部分
５２  検知経路の第１部分
５４  検知経路
５６  舌部
５７  押下検出エンコーダ要素
５８  タッチパネルの上面
【図１】
2020514875.tif 000003
【図２】
2020514875.tif 000004
【図３】
2020514875.tif 000005
【図４】
2020514875.tif 000006
【図５】
2020514875.tif 000007
【図６】
2020514875.tif 000008
【図７】
2020514875.tif 000009
【図８】
2020514875.tif 000010
【図９】
2020514875.tif 000011
【図１０】
2020514875.tif 000012
【図１１】
2020514875.tif 000013
【図１２】
2020514875.tif 000014
【図１３】
2020514875.tif 000015
【図１４】
2020514875.tif 000016
【図１５】
2020514875.tif 000017
【図１６】
2020514875.tif 000018
【図１７】
2020514875.tif 000019
【国際調査報告】
2020514875.tif 000020
2020514875.tif 000021
2020514875.tif 000022
2020514875.tif 000023